(57)【要約】【課題】容易に情報処理装置と情報機器との無線通信接続を切断することができるようにする。【解決手段】パソコン２とワイヤレスＵＳＢ接続状態で、左ボタン５と右ボタン６とが共に所定の時間以上押下されると、制御部７は、ｄｉｓｃｏｎｎｅｃｔ要求を示す情報を生成する。ＵＳＢコントローラ８は、制御部７が生成したｄｉｓｃｏｎｎｅｃｔ要求を示す情報をパソコン２に送信する。パソコン２は、ｄｉｓｃｏｎｎｅｃｔ要求を示す情報を受信した場合に、ワイヤレスＵＳＢマウス４とのワイヤレスＵＳＢ接続を切断する。【選択図】図１
2007122179.tif 000002
【特許請求の範囲】
【請求項１】
情報処理装置に無線通信接続する情報機器において、
前記情報処理装置と無線通信を行なう無線通信手段と、
前記無線通信手段が前記情報処理装置に送信する情報を生成する制御手段と、
指示を入力する操作手段とを備え、
前記制御手段は、所定の操作がなされた場合に、前記情報処理装置との無線通信接続の切断を要求する情報を生成する
ことを特徴とする情報機器。
【請求項２】
制御手段は、操作手段に所定の操作がなされた場合に、情報処理装置との無線通信接続の切断を要求する情報を生成する
請求項１記載の情報機器。
【請求項３】
操作手段は、２つのボタンを含み、
制御手段は、前記操作手段が含む２つのボタンが共に所定の時間以上押下された場合に、情報処理装置との無線通信接続の切断を要求する情報を生成する
請求項２記載の情報機器。
【請求項４】
蓄電池と、
前記蓄電池に充電する充電手段とを備え、
制御手段は、前記充電手段が前記蓄電池に充電を行なった場合に、情報処理装置との無線通信接続の切断を要求する情報を生成する
請求項１から請求項３のうちいずれか１項記載の情報機器。
【請求項５】
制御手段は、操作手段に入力された指示を示す情報を生成して、情報機器をマウスとして機能させる
請求項１から請求項４のうちいずれか１項記載の情報機器。
【請求項６】
画像を撮影する撮影手段を備え、
制御手段は、操作手段に入力された指示に応じた処理を前記撮影手段に実行させ、情報機器をデジタルカメラとして機能させる
請求項１から請求項４のうちいずれか１項記載の情報機器。
【請求項７】
情報処理装置に無線通信接続している情報機器が、前記情報処理装置との無線通信接続を切断する無線通信切断方法において、
前記情報機器は、前記情報処理装置に送信する情報を生成する情報生成ステップと、
前記情報生成ステップで生成した情報を、前記情報処理装置に送信する情報送信ステップとを備え、
前記情報機器は、所定の操作がなされた場合に、前記情報生成ステップで、前記情報処理装置との無線通信接続の切断を要求する情報を生成する
ことを特徴とする無線通信切断方法。
【請求項８】
情報機器は、指示を入力する操作手段に所定の操作がなされた場合に、情報生成ステップで、情報処理装置との無線通信接続の切断を要求する情報を生成する
請求項７記載の無線通信切断方法。
【請求項９】
情報機器は、操作手段が含む２つのボタンが共に所定の時間以上押下された場合に、情報生成ステップで、情報処理装置との無線通信接続の切断を要求する情報を生成する
請求項８記載の無線通信切断方法。
【請求項１０】
情報機器は、蓄電池と、前記蓄電池に充電する充電手段とを用い、
前記充電手段が前記蓄電池に充電を行なった場合に、情報生成ステップで、情報処理装置との無線通信接続の切断を要求する情報を生成する
請求項７から請求項９のうちいずれか１項記載の無線通信切断方法。
【請求項１１】
情報処理装置と、前記情報処理装置に無線通信接続する情報機器を備えた無線通信システムにおいて、
前記情報機器は、
前記情報処理装置に無線通信で情報を送信する情報送信手段と、
前記情報送信手段が前記情報処理装置に送信する情報を生成する情報生成手段と、
指示を入力する操作手段とを含み、
前記情報処理装置は、
前記情報機器から無線通信で情報を受信する情報受信手段と、
前記情報受信手段が前記情報機器から受信した情報に応じて処理を実行する処理実行手段とを含み、
前記情報機器の前記情報生成手段は、所定の操作がなされた場合に、前記情報処理装置との無線通信接続の切断を要求する情報を生成し、
前記情報処理装置の前記処理実行手段は、前記情報受信手段が無線通信接続の切断を要求する情報を受信した場合に、前記情報機器との無線通信接続を切断する処理を実行する
ことを特徴とする無線通信システム。
【請求項１２】
情報機器の情報生成手段は、操作手段に所定の操作がなされた場合に、情報処理装置との無線通信接続の切断を要求する情報を生成する
請求項１１記載の無線通信システム。
【請求項１３】
情報機器の操作手段は、２つのボタンを含み、
情報機器の情報生成手段は、前記操作手段が含む２つのボタンが共に所定の時間以上押下された場合に、情報処理装置との無線通信接続の切断を要求する情報を生成する
請求項１２記載の無線通信システム。
【請求項１４】
情報機器は、
蓄電池と、
前記蓄電池に充電する充電手段とを含み、
前記情報機器の情報生成手段は、前記充電手段が前記蓄電池に充電を行なった場合に、情報処理装置との無線通信接続の切断を要求する情報を生成する
請求項１１から請求項１３のうちいずれか１項記載の無線通信システム。
【請求項１５】
情報機器は、
操作手段に入力された指示を示す情報を生成して、前記情報機器をマウスとして機能させる制御手段を含む
請求項１１から請求項１４のうちいずれか１項記載の無線通信システム。
【請求項１６】
情報機器は、
画像を撮影する撮影手段と、
操作手段に入力された指示に応じた処理を前記撮影手段に実行させ、前記情報機器をデジタルカメラとして機能させる制御手段とを含む
請求項１１から請求項１４のうちいずれか１項記載の無線通信システム。
【請求項１７】
情報処理装置に無線通信接続する情報機器に搭載される無線通信プログラムにおいて、
コンピュータに、
前記情報処理装置と無線通信を行なう無線通信処理と、
前記無線通信処理で、前記情報処理装置に送信する情報を生成する制御処理とを実行させ、
前記制御処理で、所定の操作がなされた場合に、前記情報処理装置との無線通信接続の切断を要求する情報を生成させる
ための無線通信プログラム。
【発明の詳細な説明】
【技術分野】
【０００１】
本発明は、情報処理装置に無線通信接続する情報機器、当該情報処理装置と当該情報機器との無線通信接続を切断する無線通信切断方法、無線通信システム、および無線通信プログラムに関する。
【背景技術】
【０００２】
近年、パーソナルコンピュータ（以下、パソコンと記す）の普及に伴い、パソコンへのＵＳＢ（Ｕｎｉｖｅｒｓａｌ  ｓｅｒｉａｌ  Ｂｕｓ）接続に対応した周辺機器が多数実用化されている。
【０００３】
しかし、マウスのようにユーザが操作を行なう周辺機器のケーブルは操作性を損なう。また、ケーブルを用いた接続には手間がかかる。そのため、ワイヤレスでＵＳＢ接続するワイヤレスＵＳＢの規格が提案されている。
【０００４】
なお、特許文献１には、コンピュータと無線通信する機能を有し、一のコンピュータに省電力状態への遷移を命令して無線通信を終了し、他のコンピュータに通常電力状態への遷移を命令して無線通信を開始する入力装置について記載されている。
【０００５】
また、特許文献２には、切り替えボタンが操作されると、情報を入力するコンピュータを切り替えるコードレスマウスについて記載されている。
【０００６】
【特許文献１】特開２００１−２５５９８１号公報  （段落００１０〜００７６、図１）
【特許文献２】特開平１０−１１６１５１号公報  （段落００２２〜００３５、図１）
【発明の開示】
【発明が解決しようとする課題】
【０００７】
ワイヤレスＵＳＢは、コンピュータと周辺機器とを有線のＵＳＢと同様に接続することを目的としているため、周辺機器は、一のコンピュータとの接続の切断処理を行なって、一のコンピュータとの接続を切断しないかぎり、他のコンピュータと接続することができない。そのため、一の周辺機器を複数のコンピュータで共用するためには、煩雑な操作が必要である。
【０００８】
なお、一のコンピュータが複数の周辺機器にワイヤレスＵＳＢ接続することは可能である。そのため、複数の周辺機器（例えば、マウス）がワイヤレスＵＳＢで一のコンピュータに接続する場合も考えられる。そのような場合には、複数のマウスのうち、使用されていないマウスが移動等することによって、ユーザが意図しない動作をコンピュータが行なう可能性があるという問題がある。
【０００９】
特許文献１に記載されている入力装置が複数のコンピュータとの無線通信可能範囲内に存在した場合、入力装置を使用しているユーザが操作を誤ると、他のユーザが使用しているコンピュータが省電力状態に遷移してしまうおそれがあるという問題がある。
【００１０】
また、特許文献２に記載されているコードレスマウスには、従来のマウスに対して、切り替えボタン等の操作手段が新たに付加されているが、従来のマウスの操作に慣れているユーザは、新たに付加されたボタンを誤操作するおそれがあるため、新たな操作手段を付加しないことが望ましい。
【００１１】
そこで、本発明は、新たな操作手段を付加することなく、容易に情報処理装置との無線通信接続を切断することができる情報機器、無線通信切断方法、無線通信システム、および無線通信プログラムを提供することを目的とする。
【課題を解決するための手段】
【００１２】
本発明による情報機器は、情報処理装置に無線通信接続する情報機器であって、情報処理装置と無線通信を行なう無線通信手段と、無線通信手段が情報処理装置に送信する情報を生成する制御手段と、指示を入力する操作手段とを備え、制御手段は、所定の操作がなされた場合に、情報処理装置との無線通信接続の切断を要求する情報を生成することを特徴とする。
【００１３】
制御手段は、操作手段に所定の操作がなされた場合に、情報処理装置との無線通信接続の切断を要求する情報を生成してもよい。
【００１４】
操作手段は、２つのボタンを含み、制御手段は、操作手段が含む２つのボタンが共に所定の時間以上押下された場合に、情報処理装置との無線通信接続の切断を要求する情報を生成してもよい。
【００１５】
蓄電池と、蓄電池に充電する充電手段とを備え、制御手段は、充電手段が蓄電池に充電を行なった場合に、情報処理装置との無線通信接続の切断を要求する情報を生成してもよい。
【００１６】
制御手段は、操作手段に入力された指示を示す情報を生成して、情報機器をマウスとして機能させてもよい。
【００１７】
画像を撮影する撮影手段を備え、制御手段は、操作手段に入力された指示に応じた処理を撮影手段に実行させ、情報機器をデジタルカメラとして機能させてもよい。
【００１８】
本発明による無線通信切断方法は、情報処理装置に無線通信接続している情報機器が、情報処理装置との無線通信接続を切断する無線通信切断方法であって、情報機器は、情報処理装置に送信する情報を生成する情報生成ステップと、情報生成ステップで生成した情報を、情報処理装置に送信する情報送信ステップとを備え、情報機器は、所定の操作がなされた場合に、情報生成ステップで、情報処理装置との無線通信接続の切断を要求する情報を生成することを特徴とする。
【００１９】
情報機器は、指示を入力する操作手段に所定の操作がなされた場合に、情報生成ステップで、情報処理装置との無線通信接続の切断を要求する情報を生成してもよい。
【００２０】
情報機器は、操作手段が含む２つのボタンが共に所定の時間以上押下された場合に、情報生成ステップで、情報処理装置との無線通信接続の切断を要求する情報を生成してもよい。
【００２１】
情報機器は、蓄電池と、蓄電池に充電する充電手段とを用い、充電手段が蓄電池に充電を行なった場合に、情報生成ステップで、情報処理装置との無線通信接続の切断を要求する情報を生成してもよい。
【００２２】
本発明による無線通信システムは、情報処理装置と、情報処理装置に無線通信接続する情報機器を備えた無線通信システムであって、情報機器は、情報処理装置に無線通信で情報を送信する情報送信手段と、情報送信手段が情報処理装置に送信する情報を生成する情報生成手段と、指示を入力する操作手段とを含み、情報処理装置は、情報機器から無線通信で情報を受信する情報受信手段と、情報受信手段が情報機器から受信した情報に応じて処理を実行する処理実行手段とを含み、情報機器の情報生成手段は、所定の操作がなされた場合に、情報処理装置との無線通信接続の切断を要求する情報を生成し、情報処理装置の処理実行手段は、情報受信手段が無線通信接続の切断を要求する情報を受信した場合に、情報機器との無線通信接続を切断する処理を実行することを特徴とする。
【００２３】
情報機器の情報生成手段は、操作手段に所定の操作がなされた場合に、情報処理装置との無線通信接続の切断を要求する情報を生成してもよい。
【００２４】
情報機器の操作手段は、２つのボタンを含み、情報機器の情報生成手段は、操作手段が含む２つのボタンが共に所定の時間以上押下された場合に、情報処理装置との無線通信接続の切断を要求する情報を生成してもよい。
【００２５】
情報機器は、蓄電池と、蓄電池に充電する充電手段とを含み、情報機器の情報生成手段は、充電手段が蓄電池に充電を行なった場合に、情報処理装置との無線通信接続の切断を要求する情報を生成してもよい。
【００２６】
情報機器は、操作手段に入力された指示を示す情報を生成して、情報機器をマウスとして機能させる制御手段を含んでもよい。
【００２７】
情報機器は、画像を撮影する撮影手段と、操作手段に入力された指示に応じた処理を撮影手段に実行させ、情報機器をデジタルカメラとして機能させる制御手段とを含んでもよい。
【００２８】
情報処理装置に無線通信接続する情報機器に搭載される無線通信プログラムであって、コンピュータに、情報処理装置と無線通信を行なう無線通信処理と、無線通信処理で、情報処理装置に送信する情報を生成する制御処理とを実行させ、制御処理で、所定の操作がなされた場合に、情報処理装置との無線通信接続の切断を要求する情報を生成させることを特徴とする。
【発明の効果】
【００２９】
本発明によれば、情報機器に所定の操作を行なうことにより、情報処理装置との無線通信接続を切断することができる。
【００３０】
操作手段に所定の操作がなされた場合に、情報処理装置との無線通信接続の切断を要求する情報を生成するように構成されている場合には、ユーザの操作に応じて、情報処理装置との無線通信接続を切断することができる。特に、操作手段が含む２つのボタンが共に所定の時間以上押下された場合に、情報処理装置との無線通信接続の切断を要求する情報を生成するように構成されている場合には、ユーザは、容易な操作で、情報機器と情報処理装置との無線通信接続を切断することができる。
【００３１】
充電手段が蓄電池に充電を行なった場合に、情報処理装置との無線通信接続の切断を要求する情報を生成するように構成されている場合には、ユーザは、無線通信接続を切断するための操作を行なうことなく、情報機器と情報処理装置との無線通信接続を切断することができる。
【発明を実施するための最良の形態】
【００３２】
実施の形態１．
本発明の第１の実施の形態について、図面を参照して説明する。図１は、本発明による無線通信システムの第１の実施の形態の一構成例を示す説明図である。
【００３３】
本発明の第１の実施の形態は、情報を表示する表示手段１、ワイヤレスＵＳＢ通信機能を有するパソコン（情報処理装置）２、情報を入力するキーボード３、およびパソコン２とワイヤレスＵＳＢ接続（無線通信接続）するワイヤレスＵＳＢマウス（情報機器）４を含む。ワイヤレスＵＳＢマウス４は、左ボタン５と右ボタン６とを含む。なお、操作手段は、左ボタン５と右ボタン６とで実現される。
【００３４】
図２は、ワイヤレスＵＳＢマウス４の一構成例を示すブロック図である。ワイヤレスＵＳＢマウス４は、左ボタン５および右ボタン６になされた操作を示す情報を生成する制御部（制御手段、情報生成手段）７と、パソコン２とワイヤレスＵＳＢ接続して情報を送受信するＵＳＢコントローラ（無線通信手段、情報送信手段）８と、バッテリ（蓄電池）９とを含む。
【００３５】
制御部７は、パソコン２とワイヤレスＵＳＢ接続している状態で、左ボタン５と右ボタン６とが共に所定の時間以上押下された場合に、パソコン２にワイヤレスＵＳＢ接続の切断を要求するｄｉｓｃｏｎｎｅｃｔ要求を示す情報を生成する。ＵＳＢコントローラ８は、制御部７が生成したｄｉｓｃｏｎｎｅｃｔ要求を示す情報をパソコン２に送信する。
【００３６】
なお、パソコン２は、ワイヤレスＵＳＢマウス４のＵＳＢコントローラ８が送信した情報を受信する情報受信手段と、情報受信手段が受信した情報に応じて処理を実行するＣＰＵ（処理実行手段）とを含む。
【００３７】
ワイヤレスＵＳＢマウス４は、コンピュータに、パソコン２と無線通信を行なう無線通信処理と、無線通信処理で、パソコン２に送信する情報を生成する制御処理とを実行させ、制御処理で、所定の操作がなされた場合に、パソコン２との無線通信接続の切断を要求する情報を生成させるための無線通信プログラムを搭載している。
【００３８】
次に、本発明の第１の実施の形態の動作について、図面を参照して説明する。図３は、本発明の第１の実施の形態の動作を説明するフローチャートである。
【００３９】
ワイヤレスＵＳＢマウス４の制御部７は、パソコン２にワイヤレスＵＳＢ接続している状態で左ボタン５と右ボタン６とが共に押下されている状態であると判断すると（ステップＳ１０１のＹ）、時間の計測を開始する。
【００４０】
ワイヤレスＵＳＢマウス４の制御部７は、左ボタン５と右ボタン６とが共に押下されている状態が所定の時間以上継続していると判断すると（ステップＳ１０２のＹ）、ｄｉｓｃｏｎｎｅｃｔ要求を示す情報を生成する（ステップＳ１０３）。ＵＳＢコントローラ８は、制御部７が生成したｄｉｓｃｏｎｎｅｃｔ要求を示す情報をパソコン２に送信する。
【００４１】
パソコン２は、ワイヤレスＵＳＢマウス４からｄｉｓｃｏｎｎｅｃｔ要求を示す情報を受信した場合に、ワイヤレスＵＳＢマウス４の認証を取り消し、ワイヤレスＵＳＢマウス４とのワイヤレスＵＳＢ接続を切断する（ステップＳ１０４）。
【００４２】
以上に述べたように、この実施の形態によれば、左ボタン５と右ボタン６とを共に押下するという簡単な操作で、パソコン２とワイヤレスＵＳＢマウス４とのワイヤレスＵＳＢ接続を切断することができる。そのため、一のパソコンとのワイヤレスＵＳＢ接続を切断して、他のパソコンとワイヤレスＵＳＢ接続することが容易になるので、複数のパソコンで一のワイヤレスＵＳＢマウス４を共用することが容易になる。
【００４３】
また、パソコン２とワイヤレスＵＳＢマウス４とのワイヤレスＵＳＢ接続の切断操作が簡単なため、ユーザが手間を厭わずに切断操作を行なう可能性が高くなり、切断操作が行なわれていないが、使用されていないワイヤレスＵＳＢマウスによってユーザが意図しない動作をコンピュータが行なう可能性を低くすることができる。
【００４４】
また、この実施の形態によれば、ワイヤレスＵＳＢマウス４が備えるボタンは、従来のマウスと同様に左ボタン５および右ボタン６のみであるため、新規なボタンを追加した場合に発生する誤操作を防ぎ、通常のマウスとしての使用に影響を及ぼさないという効果がある。
【００４５】
実施の形態２．
本発明の第２の実施の形態について、図面を参照して説明する。図４は、本発明による無線通信システムの第２の実施の形態の一構成例を示す説明図である。
【００４６】
本発明の第２の実施の形態は、ワイヤレスＵＳＢマウス４のバッテリ９に充電するワイヤレスＵＳＢマウス充電用ホルダ１０を含む点が第１の実施の形態と異なる。また、ワイヤレスＵＳＢマウス４は、ワイヤレスＵＳＢマウス充電用ホルダ１０に設置された場合に、バッテリ９に充電を行なう充電部（充電手段）（図示せず）を含む点が第１の実施の形態と異なる。その他の構成は第１の実施の形態と同様なため、図１および図２と同じ符号を付し、説明を省略する。
【００４７】
次に、本発明の第２の実施の形態の動作について、図面を参照して説明する。図５は、本発明の第２の実施の形態の動作を説明するフローチャートである。
【００４８】
ワイヤレスＵＳＢマウス４の制御部７は、パソコン２にワイヤレスＵＳＢ接続している状態で、ワイヤレスＵＳＢマウス充電用ホルダ１０に設置され、充電が開始されたと判断すると（ステップＳ２０１のＹ）、ｄｉｓｃｏｎｎｅｃｔ要求を示す情報を生成する（ステップＳ２０２）。ＵＳＢコントローラ８は、制御部７が生成したｄｉｓｃｏｎｎｅｃｔ要求を示す情報をパソコン２に送信する。
【００４９】
パソコン２は、ワイヤレスＵＳＢマウス４からｄｉｓｃｏｎｎｅｃｔ要求を示す情報を受信した場合に、ワイヤレスＵＳＢマウス４の認証を取り消し、ワイヤレスＵＳＢマウス４とのワイヤレスＵＳＢ接続を切断する（ステップＳ２０３）。
【００５０】
以上に述べたように、この実施の形態によれば、ワイヤレスＵＳＢマウス４が充電される場合に、パソコン２とワイヤレスＵＳＢマウス４とのワイヤレスＵＳＢ接続を切断する。そのため、ユーザは、特別な操作を行なわなくてもパソコン２とワイヤレスＵＳＢマウス４とのワイヤレスＵＳＢ接続を切断することができ、第１の実施の形態と同様な効果を得ることができる。
【００５１】
実施の形態３．
本発明の第３の実施の形態について、図面を参照して説明する。図６は、本発明による無線通信システムの第３の実施の形態の一構成例を示す説明図である。
【００５２】
本発明の第３の実施の形態は、第１の実施の形態のワイヤレスＵＳＢマウス４に代えて、パソコン２とワイヤレスＵＳＢ接続する機能を有するデジタルカメラ（情報機器）１１を含む点が第１の実施の形態と異なり、その他の構成は第１の実施の形態と同様なため、図１と同じ符号を付し、説明を省略する。
【００５３】
図７は、デジタルカメラ１１の一構成例を示すブロック図である。デジタルカメラ１１は、操作部（操作手段）１２、デジタルカメラとして機能するカメラ部（撮影手段）１３、パソコン２とワイヤレスＵＳＢ接続して情報を送受信するＵＳＢコントローラ１４と、バッテリ１５、デジタルカメラ１１の全体を制御する制御部（制御手段）１６とを含む。
【００５４】
制御部１６は、パソコン２とワイヤレスＵＳＢ接続している状態で、操作部１２に所定の操作がなされた場合に、パソコン２にワイヤレスＵＳＢ接続の切断を要求するｄｉｓｃｏｎｎｅｃｔ要求を示す情報を生成する。ＵＳＢコントローラ１４は、制御部１６が生成したｄｉｓｃｏｎｎｅｃｔ要求を示す情報をパソコン２に送信する。
【００５５】
次に、本発明の第３の実施の形態の動作について、図面を参照して説明する。図８は、本発明の第３の実施の形態の動作を説明するフローチャートである。
【００５６】
デジタルカメラ１１の制御部１６は、パソコン２にワイヤレスＵＳＢ接続している状態で、デジタルカメラ１１の操作部１２に所定の操作がなされたと判断すると（ステップＳ３０１のＹ）、ＵＳＢコントローラ１４に撮影した画像データ等のデータをパソコン２に送信させる（ステップＳ３０２）。そして、制御部１６は、ｄｉｓｃｏｎｎｅｃｔ要求を示す情報を生成する（ステップＳ３０３）。ＵＳＢコントローラ１４は、制御部１６が生成したｄｉｓｃｏｎｎｅｃｔ要求を示す情報をパソコン２に送信する。
【００５７】
パソコン２は、ワイヤレスＵＳＢマウス４からｄｉｓｃｏｎｎｅｃｔ要求を示す情報を受信した場合に、デジタルカメラ１１の認証を取り消し、デジタルカメラ１１とのワイヤレスＵＳＢ接続を切断する（ステップＳ３０４）。
【００５８】
以上に述べたように、この実施の形態によれば、パソコン２を操作することなく、デジタルカメラ１１の操作によってパソコン２とのワイヤレスＵＳＢ接続を切断することができる。
【００５９】
なお、本発明は、上述した各実施の形態に限定されるものではなく、各実施の形態を組み合わせてもよい。具体的には、例えば、第１の実施の形態と第２の実施の形態とを組み合わせて、左ボタン５と右ボタン６とが共に所定の時間以上押下された場合、または、充電が行なわれた場合にパソコン２とのワイヤレスＵＳＢ接続を切断するように構成してもよい。
【００６０】
また、第２の実施の形態と第３の実施の形態とを組み合わせて、デジタルカメラ１１の充電が行なわれた場合に、パソコン２とのワイヤレスＵＳＢ接続を切断するように構成してもよい。
【００６１】
なお、以上に述べた各実施の形態では、無線通信接続としてワイヤレスＵＳＢ接続を例に説明したが、本発明はこれに限定されるものではなく、他の方法の無線通信接続であってもよい。
【産業上の利用可能性】
【００６２】
本発明は、ワイヤレスＵＳＢマウス等の無線通信デバイスに適用することができる。
【図面の簡単な説明】
【００６３】
【図１】本発明による無線通信システムの第１の実施の形態の一構成例を示す説明図である。
【図２】ワイヤレスＵＳＢマウスの一構成例を示すブロック図である。
【図３】本発明の第１の実施の形態の動作を説明するフローチャートである。
【図４】本発明による無線通信システムの第２の実施の形態の一構成例を示す説明図である。
【図５】本発明の第２の実施の形態の動作を説明するフローチャートである。
【図６】本発明による無線通信システムの第３の実施の形態の一構成例を示す説明図である。
【図７】デジタルカメラの一構成例を示すブロック図である。
【図８】本発明の第３の実施の形態の動作を説明するフローチャートである。
【符号の説明】
【００６４】
１  表示手段
２  パソコン
３  キーボード
４  ワイヤレスＵＳＢマウス
５  左ボタン
６  右ボタン
７、１６  制御部
８、１４  ＵＳＢコントローラ
９、１５  バッテリ
１０  ワイヤレスＵＳＢマウス充電用ホルダ
１１  デジタルカメラ
１２  操作部
１３  カメラ部
【図１】
2007122179.tif 000003
【図２】
2007122179.tif 000004
【図３】
2007122179.tif 000005
【図４】
2007122179.tif 000006
【図５】
2007122179.tif 000007
【図６】
2007122179.tif 000008
【図７】
2007122179.tif 000009
【図８】
2007122179.tif 000010